(57)【要約】【課題】カードの削りカスの発生を抑制できるカード用コネクタを提供する。【解決手段】コネクタ１０は、ハウジング１とカバー板２を備える。又、コネクタ１０は、第１コンタクト３と第２コンタクト４を備える。第２コンタクト４は、曲率半径の大きい湾曲部の頂き部に形成した接点４ｃを先端部側に有する。又、第２コンタクト４は、先端部側の板厚面から突出した凸片４ｔを有する。第１カードＣ１をハウジング１の凹部１１に挿入した状態では、凸片４ｔを含む第２コンタクト４の広い面が第１カードＣ１の裏面に形成した第１溝部Ｄ１の段差に当接できる。これにより、第１カードＣ１の削りカスの発生を抑制できる。【選択図】図３
2019075311.tif 000002
【特許請求の範囲】
【請求項１】
一方の端部の裏面から段差を設けて窪んだ第１溝部の底面に複数の第１接続端子を配置した矩形の第１カードと、前記第１カードと外形寸法及び厚さが同じであり、一方の端部の裏面から窪んだ第２溝部の底面に複数の前記第１接続端子及び複数の第２接続端子を配置した矩形の第２カードと、を共用できるカード用コネクタであって、
前記第１カード又は前記第２カードを挿入自在な凹部を有する板状のハウジングと、
前記ハウジングの凹部の奥側に配置され、前記第１接続端子に接続できる複数の第１コンタクトと、
前記ハウジングの凹部の開口側に配置され、前記第２接続端子に接続できる複数の第２コンタクトと、を備え、
前記第２コンタクトは、
前記第１カードを前記凹部に挿入した状態では、前記第１カードの裏面に当接せず、前記第２カードを前記凹部に挿入した状態では、前記第２接続端子に接触できる接点と、
前記第１カードを前記凹部に挿入した状態では、前記第１溝部の段差に当接でき、当該第２コンタクトが延びる方向と略直交する方向に板厚面から突出した凸片と、を有している、カード用コネクタ。
【請求項２】
前記接点は、前記第２コンタクトの先端部側に配置した曲率半径の大きい湾曲部の頂き部に形成している、請求項１記載のカード用コネクタ。
【請求項３】
前記凸片は、前記第２コンタクトの先端部側の一方の側辺から突出している、請求項１又は２記載のカード用コネクタ。
【請求項４】
前記凸片は、前記第２コンタクトの先端部側の両側辺から突出している、請求項１又は２記載のカード用コネクタ。
【請求項５】
前記第２接続端子は、
複数の対を成す信号端子と、
前記対を成す信号端子の両側に配置されるグラウンド端子と、を含み、
前記第２コンタクトは、
前記対を成す信号端子に接触自在な対を成す第１信号コンタクトと、
前記グラウンド端子に接触自在なグラウンドコンタクトと、を含み、
前記対を成す第１信号コンタクトは、相反する向きに前記凸片を配置している、請求項１又は２記載のカード用コネクタ。
【請求項６】
前記第２接続端子は、
複数の対を成す信号端子と、
前記対を成す信号端子の両側に配置されるグラウンド端子と、を含み、
前記第２コンタクトは、
前記対を成す信号端子に接触自在な対を成す第２信号コンタクトと、
前記グラウンド端子に接触自在なグラウンドコンタクトと、を含み、
前記第２信号コンタクトは、その先端部側の両側辺から前記凸片を突出している、請求項１又は２記載のカード用コネクタ。
【発明の詳細な説明】
【技術分野】
【０００１】
本発明は、カード用コネクタに関する。特に、外形寸法及び厚さは同じであるが、接続端子の配列が一部異なる二種類のカードを共用できるカード用コネクタの構造に関する。
【背景技術】
【０００２】
近年では、メモリの転送速度を向上した、ＵＨＳ−Ｉ対応ＳＤメモリカード又はＵＨＳ−ＩＩ対応ＳＤメモリカードが出現している。ＵＨＳ−ＩＩ対応ＳＤメモリカードは、ＵＨＳ−Ｉ対応ＳＤメモリカードの転送速度の約３倍の転送速度を実現できる、とされている。以下、ＵＨＳ−Ｉ対応ＳＤメモリカードを第１カードと言い、ＵＨＳ−ＩＩ対応ＳＤメモリカードを第２カードと言う。
【０００３】
ところで、第１カードと第２カードを共用できるカード用コネクタが求められている。第１カードと第２カードは、これらの矩形の外形寸法とこれらの厚さが同じである。又、第１カードと第２カードは、挿入側の端部に形成した複数の第１接続端子の配列が同じである。一方、第２カードは、複数の第１接続端子の後段に複数の第２接続端子を配列している、という第１カードとの違いがある。
【０００４】
実体として、第１カードは、その裏面から窪んだ第１溝部の底面に複数の第１接続端子を配置している。一方、第２カードは、その裏面から窪んだ第２溝部の底面に複数の第１接続端子及び複数の第２接続端子を配置している。つまり、第１溝部の端縁からの長さは、第２溝部の端縁からの長さより、短くなっている。
【０００５】
例えば、従来技術によるカード用コネクタは、第１カード又は第２カードを挿入可能な凹部を有するハウジングと、第１接続端子に接触できる複数の第１コンタクトと、第２接続端子に接触できる複数の第２コンタクトと、備えている。又、これらの第１コンタクト及び第２コンタクトは、ハウジングの凹部の底面に配置されている。
【０００６】
従来技術によるカード用コネクタは、第２カードをハウジングの凹部に挿入すると、第２カードを第１コンタクト及び第２コンタクトに電気的に接続できる。一方、第１カードをハウジングの凹部に挿入すると、第１溝部の段差が第２コンタクトに当接して、ハウジングの段差部が削れる心配があった。そして、この削りカスが第２コンタクトの接点に付着して、第２接続端子と第２コンタクトが確実に接触しない心配があった。
【０００７】
このような不具合に対して、第１カードの裏面のみに当接する第１の山部と、第２接続端子のみに当接する第２の山部とを第２コンタクトの先端部側に別々に設けたカード用コネクタが開示されている（例えば、特許文献１参照）。
【先行技術文献】
【特許文献】
【０００８】
【特許文献１】特開２０１４−１４６４４４号公報
【発明の概要】
【発明が解決しようとする課題】
【０００９】
図９は、本発明に係る第１カードの構成を示す斜視図であり、第１カードを表面側から観た状態図である。図１０は、本発明に係る第１カードの構成を示す斜視図であり、第１カードを裏面側から観た状態図である。
【００１０】
図１１は、本発明に係る第２カードの構成を示す斜視図であり、第２カードを表面側から観た状態図である。図１２は、本発明に係る第２カードの構成を示す斜視図であり、第２カードを裏面側から観た状態図である。
【００１１】
図９又は図１０を参照すると、第１カードＣ１は、ＵＨＳ−Ｉ対応ＳＤメモリカードを示している。第１カードＣ１は、その外形を矩形に形成している。又、第１カードＣ１は、誤挿入防止用の切り欠きＣａを隅部に形成している。更に、第１カードＣ１は、複数の第１溝部Ｄ１を一方の端部に形成している。第１溝部Ｄ１は、第１カードＣ１の裏面Ｂｆから段差を設けて窪んでいる。そして、第１溝部Ｄ１の底面に、第１接続端子１ｃｔを配置している。
【００１２】
図９又は図１０を参照すると、第１カードＣ１は、絶縁性を有するプラスチック筐体ｃｈ１の内部にＩＣチップ（図示せず）を収納している。このＩＣチップは、第１溝部Ｄ１の底面に貼り付けられた複数の金属箔に接続している。そして、この金属箔が第１カードＣ１の第１接続端子１ｃｔとなっている。第１接続端子１ｃｔは、後述する第１コンタクト９１と電気的に接続できる。
【００１３】
図１１又は図１２を参照すると、第２カードＣ２は、ＵＨＳ−ＩＩ対応ＳＤメモリカードを示している。第２カードＣ２は、その外形を矩形に形成している。又、第２カードＣ２は、誤挿入防止用の切り欠きＣａを隅部に形成している。更に、第２カードＣ２は、複数の第２溝部Ｄ２を一方の端部に形成している。第２溝部Ｄ２は、第２カードＣ２の裏面Ｂｆから段差を設けて窪んでいる。そして、第２溝部Ｄ２の底面に、第１接続端子１ｃｔ及び第２接続端子２ｃｔを配置している。
【００１４】
図１１又は図１２を参照すると、第２カードＣ２は、絶縁性を有するプラスチック筐体ｃｈ２の内部にＩＣチップ（図示せず）を収納している。このＩＣチップは、第２溝部Ｄ２の底面に貼り付けられた複数の金属箔に接続している。そして、この金属箔が第２カードＣ２の第１接続端子１ｃｔ及び第２接続端子２ｃｔとなっている。第２カードＣ２の第２接続端子２ｃｔは、後述する第２コンタクト９２と電気的に接続できる。
【００１５】
図１２を参照すると、第２接続端子２ｃｔは、一組の対を成す信号端子２ｓｔ・２ｓｔ、電源端子２ｅｔ、及び、三つのグラウンド端子２ｇｔを含んでいる。一対のグラウンド端子２ｇｔ・２ｇｔは、対を成す信号端子２ｓｔ・２ｓｔの両側に配置されている。
【００１６】
図９と図１１を対比すると、第１カードＣ１と第２カードＣ２は、これらの表面Ｓｆ側から観ると、これらの矩形の外形寸法とこれらの厚さｔが同じである。
【００１７】
又、図１０と図１２を対比すると、第１カードＣ１と第２カードＣ２は、挿入側の端部に形成された複数の第１接続端子１ｃｔの配列が同じである。一方、第２カードＣ２は、複数の第１接続端子１ｃｔの後段に複数の第２接続端子２ｃｔを配列しているという、第１カードＣ１との違いがある。
【００１８】
更に、図１０と図１２を対比すると、第１溝部Ｄ１の端縁からの長さは、第２溝部Ｄ２の端縁からの長さより短くなっている、という違いがある。
【００１９】
図１３は、従来技術によるカード用コネクタの構成を示す斜視図である。図１４は、従来技術によるカード用コネクタに備わる第２コンタクト９２の要部を拡大した斜視図である。なお、本願の図１３と図１４は、特許文献１の図１（ａ）と図１（ｂ）に相当している。
【００２０】
図１３を参照すると、従来技術によるカード用コネクタ９は、凹部９ａを有する矩形のハウジング９ｈ、複数の第１コンタクト９１、及び、複数の第２コンタクト９２を備えている。第１コンタクト９１及び第２コンタクト９２は、ハウジング９ｈの凹部９ａの底面に配置されている。ハウジング９ｈには、その前部に形成した挿入開口９ｂから第１カードＣ１又は第２カードＣ２を挿入できる（図９から図１２参照）。
【００２１】
図９又は図１０及び図１３を参照して、第１カードＣ１を凹部９ａに挿入すると、第１コンタクト９１の接点を第１接続端子１ｃｔに接触できる（図１０参照）。そして、第１カードＣ１と第１コンタクト９１を電気的に接続できる。
【００２２】
図９又は図１０及び図１３を参照して、第２カードＣ２を凹部９ａに挿入すると、第１コンタクト９１の接点を第１接続端子１ｃｔに接触できる（図１２参照）。又、第２コンタクト９２の接点を第２接続端子２ｃｔに接触できる（図１２参照）。そして、第２カードＣ２と第１コンタクト９１を電気的に接続できると共に、第２カードＣ２と第２コンタクト９２を電気的に接続できる。
【００２３】
図１４を参照すると、第２コンタクト９２は、第１の山部９２１と第２の山部９２２を先端部側に有している。第１の山部９２１は、第２コンタクト９２の基端部側に配置されている。第２の山部９２２は、第２コンタクト９２の先端部側に配置されている。
【００２４】
図１３又は図１４を参照して、特許文献１によるカード用コネクタ９は、第１カードＣ１を凹部９ａに挿入した状態では、第２コンタクト９２が傾倒して、第１の山部９２１のみが第１カードＣ１の裏面Ｂｆに当接し、第２の山部９２２は、第１カードＣ１の裏面Ｂｆに当接しない、としている。
【００２５】
一方、図１３又は図１４を参照して、特許文献１によるカード用コネクタ９は、第１カードＣ１を凹部９ａに挿入した状態では、第１の山部９２１が第２接続端子２ｃｔに接触することなく、第２の山部９２２のみが第２接続端子２ｃｔに接触できる、としている。特許文献１によるカード用コネクタ９は、第１カードＣ１を凹部９ａに挿入した状態では、第１の山部９２１が第２接続端子２ｃｔに接触しないので、接触信頼性を向上できる、としている。
【００２６】
しかし、図９から図１４を参照すると、特許文献１によるカード用コネクタ９は、第１カードＣ１の削りカスが第２の山部９２２に付着することを抑制できる、としているが、第２コンタクト９２の先端部側が第１溝部Ｄ１の段差に当接するので、第１カードＣ１の削りカスの発生を抑制することは困難と考えられる。図１４を参照すると、第２コンタクト９２の先端部側の幅ｗは狭いので、第１カードＣ１の削りカスの発生を抑制することは、殊更困難と考えられる。
【００２７】
第１溝部の底面に複数の第１接続端子を配置した第１カードと、第２溝部の底面に複数の第１接続端子及び複数の第２接続端子を配置した第２カードと、を共用できるカード用コネクタであって、第１カードの削りカスの発生を抑制できるカード用コネクタが求められている。そして、そして、以上のことが本発明の課題といってよい。
【００２８】
本発明は、このような課題に鑑みてなされたものであり、外形寸法及び厚さは同じであるが、接続端子の配列が一部異なる二種類のカードを共用できるカード用コネクタであって、第１カードの削りカスの発生を抑制できるカード用コネクタを提供することを目的とする。
【課題を解決するための手段】
【００２９】
本発明者らは、第２コンタクトが延びる方向と略直交する方向に板厚面から突出した凸片を第２コンタクトの先端部側に設け、第１溝部を端部に有する第１カードをハウジングの凹部に挿入すると、第１カードの第１溝部の段差が凸片を含む第２コンタクトの広い面に当接することで、第１カードの削りカスの発生を抑制できると考え、これに基づいて、以下のような新たなカード用コネクタを発明するに至った。
【００３０】
（１）  一方の端部の裏面から段差を設けて窪んだ第１溝部の底面に複数の第１接続端子を配置した矩形の第１カードと、前記第１カードと外形寸法及び厚さが同じであり、一方の端部の裏面から窪んだ第２溝部の底面に複数の前記第１接続端子及び複数の第２接続端子を配置した矩形の第２カードと、を共用できるカード用コネクタであって、前記第１カード又は前記第２カードを挿入自在な凹部を有する板状のハウジングと、前記ハウジングの凹部の奥側に配置され、前記第１接続端子に接続できる複数の第１コンタクトと、前記ハウジングの凹部の開口側に配置され、前記第２接続端子に接続できる複数の第２コンタクトと、を備え、前記第２コンタクトは、前記第１カードを前記凹部に挿入した状態では、前記第１カードの裏面に当接せず、前記第２カードを前記凹部に挿入した状態では、前記第２接続端子に接触できる接点と、前記第１カードを前記凹部に挿入した状態では、前記第１溝部の段差に当接でき、当該第２コンタクトが延びる方向と略直交する方向に板厚面から突出した凸片と、を有している、カード用コネクタ。
【００３１】
（２）  前記接点は、前記第２コンタクトの先端部側に配置した曲率半径の大きい湾曲部の頂き部に形成している、（１）記載のカード用コネクタ。
【００３２】
（３）  前記凸片は、前記第２コンタクトの先端部側の一方の側辺から突出している、（１）又は（２）記載のカード用コネクタ。
【００３３】
（４）  前記凸片は、前記第２コンタクトの先端部側の両側辺から突出している、（１）又は（２）記載のカード用コネクタ。
【００３４】
（５）  前記第２接続端子は、複数の対を成す信号端子と、前記対を成す信号端子の両側に配置されるグラウンド端子と、を含み、前記第２コンタクトは、前記対を成す信号端子に接触自在な対を成す第１信号コンタクトと、前記グラウンド端子に接触自在なグラウンドコンタクトと、を含み、前記対を成す第１信号コンタクトは、相反する向きに前記凸片を配置している、（１）又は（２）記載のカード用コネクタ。
【００３５】
（６）  前記第２接続端子は、複数の対を成す信号端子と、前記対を成す信号端子の両側に配置されるグラウンド端子と、を含み、前記第２コンタクトは、前記対を成す信号端子に接触自在な対を成す第２信号コンタクトと、前記グラウンド端子に接触自在なグラウンドコンタクトと、を含み、前記第２信号コンタクトは、その先端部側の両側辺から前記凸片を突出している、（１）又は（２）記載のカード用コネクタ。
【発明の効果】
【００３６】
本発明によるカード用コネクタは、第２コンタクトが延びる方向と略直交する方向に板厚面から突出した凸片を第２コンタクトの先端部側に設け、第１溝部を端部に有する第１カードをハウジングの凹部に挿入すると、第１カードの第１溝部の段差が凸片を含む第２コンタクトの広い面に当接することで、第１カードの削りカスの発生を抑制できる。
【図面の簡単な説明】
【００３７】
【図１】本発明の第１実施形態によるカード用コネクタの構成を示す斜視図である。
【図２】第１実施形態によるカード用コネクタの構成を示す斜視図であり、カバー板を取り外した状態図である。
【図３】第１実施形態によるカード用コネクタの構成を示す斜視図であり、カード用コネクタを図２と異なる方向から観た状態図である。
【図４】第１実施形態によるカード用コネクタに備わる第１コンタクト及び第２コンタクトの斜視図であり、第１コンタクト及び第２コンタクトをハウジングにモールドする前の状態図である。
【図５】第１実施形態によるカード用コネクタに備わる第２コンタクトを拡大した斜視図である。
【図６】第１実施形態によるカード用コネクタの構成を示す図であり、図６の左欄は、第１実施形態によるカード用コネクタの平面図を示し、図６の右欄は、第１実施形態によるカード用コネクタを拡大した縦断面図を示し、図６（Ａ）は、第１カード又は第２カードをカード用コネクタに挿入する前の状態図、図６（Ｂ）は、第２カードをカード用コネクタに挿入した状態図、図６（Ｃ）は、第１カードをカード用コネクタに挿入した状態図である。
【図７】本発明の第２実施形態によるカード用コネクタの構成を示す斜視図であり、カバー板を取り外した状態図である。
【図８】図７の要部を拡大した斜視図である。
【図９】本発明に係る第１カードの構成を示す斜視図であり、第１カードを表面側から観た状態図である。
【図１０】本発明に係る第１カードの構成を示す斜視図であり、第１カードを裏面側から観た状態図である。
【図１１】本発明に係る第２カードの構成を示す斜視図であり、第２カードを表面側から観た状態図である。
【図１２】本発明に係る第２カードの構成を示す斜視図であり、第２カードを裏面側から観た状態図である。
【図１３】従来技術によるカード用コネクタの構成を示す斜視図である。
【図１４】従来技術によるカード用コネクタに備わる第２コンタクト９２の要部を拡大した斜視図である。
【発明を実施するための形態】
【００３８】
以下、図面を参照して本発明を実施するための形態を説明する。
［第１実施形態］
（カード用コネクタの構成）
最初に、本発明の第１実施形態によるカード用コネクタの構成を説明する。
【００３９】
図１は、本発明の第１実施形態によるカード用コネクタの構成を示す斜視図である。図２は、第１実施形態によるカード用コネクタの構成を示す斜視図であり、カバー板を取り外した状態図である。
【００４０】
図３は、第１実施形態によるカード用コネクタの構成を示す斜視図であり、カード用コネクタを図２と異なる方向から観た状態図である。
【００４１】
（全体構成）
次に、本発明の第１実施形態によるカード用コネクタの全体構成を説明する。図１から図３を参照すると、本発明の第１実施形態によるカード用コネクタ（以下、コネクタと略称する）１０は、板状のハウジング１とカバー板２を備えている。又、コネクタ１０は、複数の第１コンタクト３と複数の第２コンタクト４を備えている。
【００４２】
図２又は図３を参照すると、ハウジング１は、第１カードＣ１又は第２カードＣ２を挿入自在な凹部１１を形成している。凹部１１は、一対の側壁１ａ・１ｂと後壁１ｃで囲われている。図１又は図２を参照すると、カバー板２は、凹部１１を覆っている。カバー板２で覆われた凹部１１を第１カードＣ１又は第２カードＣ２の収容空間とすることができる。
【００４３】
図２又は図３を参照すると、第１コンタクト３は、凹部１１の奥側に配置している。第１コンタクト３は、第１カードＣ１の第１接続端子１ｃｔに接触できる（図１０参照）。又、第１コンタクト３は、第２カードＣ２の第１接続端子１ｃｔに接触できる（図１２参照）。
【００４４】
図２又は図３を参照すると、第２コンタクト４は、凹部１１の開口側に配置している。第２コンタクト４は、第２カードＣ２の第２接続端子２ｃｔに接触できる（図１２参照）。
【００４５】
図２又は図３を参照すると、第２コンタクト４は、二組の対を成す第１信号コンタクト４ｓ・４ｓと電源コンタクト４ｅと三つのグラウンドコンタクト４ｇを含んでいる。
【００４６】
図２又は図３を参照すると、対を成す第１信号コンタクト４ｓ・４ｓは、対を成す信号端子２ｓｔ・２ｓｔに電気的に接続できる（図１２参照）。電源コンタクト４ｅは、電源端子２ｅｔに電気的に接続できる。グラウンドコンタクト４ｇは、グラウンド端子２ｇｔに電気的に接続できる（図１２参照）。
【００４７】
図５を参照すると、第１信号コンタクト４ｓは、接点４ｃを先端部側に有している。接点４ｃは、第２コンタクト４の先端部側に配置した曲率半径の大きい湾曲部の頂き部に形成している。接点４ｃは、第１カードＣ１を凹部１１に挿入した状態では、第１カードＣ１の裏面Ｂｆに当接しない。一方、接点４ｃは、第２カードＣ２を凹部１１に挿入した状態では、第２接続端子２ｃｔに接触できる。
【００４８】
又、図５を参照すると、第１信号コンタクト４ｓは、矩形の凸片４ｔを先端部側に有している。凸片４ｔは、第１信号コンタクト４ｓが延びる方向と略直交する方向に板厚面から突出している。又、凸片４ｔは、第１信号コンタクト４ｓの先端部側の一方の側辺から突出している。第２コンタクトは、その一部が凸片４ｔを先端部側に有している、ということもできる。実施の形態では、対を成す第１信号コンタクト４ｓ・４ｓは、相反する向きに一組の凸片４ｔ・４ｔを配置している。
【００４９】
図１から図３及び図５を参照して、第１カードＣ１を凹部１１に挿入した状態では、凸片４ｔを含む第２コンタクト４の広い面が第１溝部Ｄ１の段差に当接できる。これにより、第１カードＣ１の削りカスの発生を抑制できる。
【００５０】
（ハウジングの構成）
次に、第１実施形態によるハウジング１の構成を説明する。図１から図３を参照して、ハウジング１は、絶縁性を有する合成樹脂からなり、絶縁性を有する合成樹脂を成形して、板状のハウジング１を得ることができる。
【００５１】
（イジェクト機構の構成）
図２又は図３を参照すると、ハウジング１は、イジェクト機構Ｅを凹部１１の一方の端部に配置している。イジェクト機構Ｅは、第１カードＣ１又は第２カードＣ２を凹部１１に挿入すると、第１カードＣ１又は第２カードＣ２を停止するように動作でき、停止状態の第１カードＣ１又は第２カードＣ２を押すと、第１カードＣ１又は第２カードＣ２を排出できる。以下、イジェクト機構Ｅの構成及び動作は、第１カードＣ１を代表して説明する。
【００５２】
図３を参照すると、イジェクト機構Ｅは、平板状のスライド部材Ｅ１、圧縮コイルばねＥ２、及び、案内棒Ｅ３で構成している。スライド部材Ｅ１は、第１カードＣ１の挿抜方向と平行する方向に進退自在に、ハウジング１と連結している。又、スライド部材Ｅ１は、第１カードＣ１の切り欠きＣａに係合するＬ字片を先端部に形成している。更に、スライド部材Ｅ１は、第１カードＣ１の側面に形成された溝部（図１１参照）に係合自在な突起Ｅａを有している。又、スライド部材Ｅ１は、ハート型のカム溝（図示せず）を上面から穿設している。
【００５３】
図２又は図３を参照すると、圧縮コイルばねＥ２は、スライド部材Ｅ１の内部に保持されている。又、圧縮コイルばねＥ２は、第１カードＣ１が排出される方向にスライド部材Ｅ１を付勢している。案内棒Ｅ３は、その一端部がハート型のカム溝（図示せず）に連結している。又、案内棒Ｅ３は、その他端部がハウジング１に回転自在に連結している。
【００５４】
図２又は図３を参照して、凹部１１に第１カードＣ１を挿入し、圧縮コイルばねＥ２の付勢力に抗して、スライド部材Ｅ１をハウジング１の奥側に移動すると、案内棒Ｅ３の一端部は、ハート型のカム溝の分岐点に移動する。そして、案内棒Ｅ３の一端部がハート型のカム溝の分岐点に到達すると、案内棒Ｅ３は、スライド部材Ｅ１をロックでき、第１カードＣ１の停止位置を規定できる。
【００５５】
図２又は図３を参照して、案内棒Ｅ３の一端部がハート型のカム溝の分岐点に位置した状態から、第１カードＣ１を一旦押すと、案内棒Ｅ３の一端部は、ハート型のカム溝の分岐点から解放されて、ハート型のカム溝の帰り行程に相対的に移動する。そして、圧縮コイルばねＥ２がスライド部材Ｅ１をハウジング１の開口側に移動させることで、第１カードＣ１を排出できる。
【００５６】
図２又は図３を参照して、案内棒Ｅ３の一端部がハート型のカム溝の分岐点に位置した状態から、第１カードＣ１を一旦押すと、案内棒Ｅ３の一端部は、ハート型のカム溝の分岐点から解放されて、ハート型のカム溝の帰り行程に相対的に移動する。そして、圧縮コイルばねＥ２がスライド部材Ｅ１をハウジング１の開口側に移動させることで、第１カードＣ１を排出できる。
【００５７】
（カード検出スイッチの構成）
図２又は図３を参照すると、ハウジング１は、カード検出スイッチ（以下、検出スイッチと略称する）Ｓｗを凹部１１の他方の端部に配置している。検出スイッチＳｗは、帯状の可動板Ｃｍと帯状の固定板Ｃｓで構成している。
【００５８】
図３を参照すると、可動板Ｃｍ及び固定板Ｃｓは、それらの基端部がハウジング１の側壁１ｂに固定されている。又、可動板Ｃｍ及び固定板Ｃｓは、それらの先端部がオーバーラップしている。可動板Ｃｍの先端部側は、凹部１１に向かって湾曲している。
【００５９】
図１から図３を参照して、第１カードＣ１又は第２カードＣ２を凹部１１に挿入すると、可動板Ｃｍの先端部側を変位でき、可動板Ｃｍの先端部を固定板Ｃｓの先端部に向かって移動できる。可動板Ｃｍの先端部が固定板Ｃｓの先端部に接触した状態では、可動板Ｃｍと固定板Ｃｓを電気的に導通できる。これにより、検出スイッチＳｗは、オンの状態となり、第１カードＣ１又は第２カードＣ２の挿入を検出できる。
【００６０】
図１から図３を参照して、第１カードＣ１又は第２カードＣ２を凹部１１から引き抜くと、可動板Ｃｍの先端部側を弾性復帰でき、可動板Ｃｍの先端部を固定板Ｃｓの先端部から離反できる。これにより、検出スイッチＳｗは、オフの状態となり、第１カードＣ１又は第２カードＣ２の非挿入を検出できる。
【００６１】
（カバー板の構成）
次に、第１実施形態によるカバー板２の構成を説明する。図１又は図２を参照すると、カバー板２は、導電性を有する金属板で構成している。カバー板２は、天板２１と一対の側面板２２・２３で構成している。
【００６２】
図１を参照すると、天板２１は、凹部１１に対向配置されている。一対の側面板２２・２３は、天板２１の両端部が直角に折り曲げられて形成されている。一対の側面板２２・２３は、ハウジング１の両側面に密着できる。一対の側面板２２・２３は、それらの一部が更に折り曲げられて、ハウジング１の底面に密着できる。そして、ハウジング１の凹部１１に向かってカバー板２を挿入することで、カバー板２をハウジング１に組み立てることができる。
【００６３】
図１を参照すると、天板２１には、複数の第２コンタクト４を視認容易な窓２１ｗを開口している。又、天板２１には、第１カードＣ１又は第２カードＣ２を表面Ｓｆ側から押圧する一組の板ばね片２１ａ・２１ａを有している。更に、天板２１には、スライド部材Ｅ１を押圧する板ばね片２１ｂを有している。又、天板２１には、案内棒Ｅ３の他端部を押圧する板ばね片２２ｂを有している。
【００６４】
図１を参照して、導電性を有するカバー板２でハウジング１を覆うことで、内部に収容された第１カードＣ１又は第２カードＣ２を電磁妨害から守ることができる。
【００６５】
引き続き、第１実施形態によるコネクタ１０の構成を説明する。
【００６６】
図４は、第１実施形態によるカード用コネクタに備わる第１コンタクト及び第２コンタクトの斜視図であり、ハウジングにモールドした状態図である。図５は、第１実施形態によるカード用コネクタに備わる第２コンタクトを拡大した斜視図である。
【００６７】
（第１コンタクトの構成）
次に、第１実施形態による第１コンタクト３の構成を説明する。図４を参照すると、第１コンタクト３は、展開板（図示せず）が成形された導電性を有する金属板からなり、展開板を打ち抜き加工又は折り曲げ加工して、導電性を有する片持ち状のベローズコンタクトを得ることができる。第１コンタクト３は、加工の容易性や、ばね特性、導電性などを考慮すれば、銅合金が好ましく用いられるが、銅合金に限定される訳ではない。
【００６８】
図４を参照すると、十の第１コンタクト３は、互いに分離しているが、十の第１コンタクト３が部分的に互いに繋がった連鎖状コンタクトしてもよく、第１コンタクト３の固定部をモールドしてハウジング１を成形した後に、連鎖状コンタクトを適宜に打ち抜き加工することで、十の第１コンタクト３を個別に分離できる。
【００６９】
図２又は図３を参照すると、第１コンタクト３は、その固定端部がハウジング１に固定されている。一方、第１コンタクト３は、その自由端部が凹部１１の底面から傾斜して延出している。そして、第１コンタクト３の自由端部の頂き部が第１接続端子１ｃｔに接触できる接点３ｃを形成している（図４参照）。
【００７０】
図４を参照すると、第１コンタクト３は、その固定端部にリード片を形成している。これらのリード片は、図示しないプリント基板の一方の面にハンダ接合できる。つまり、コネクタ１０は、表面実装形のコネクタになっている。
【００７１】
（第２コンタクトの構成）
次に、第１実施形態による第２コンタクト４の構成を説明する。図４を参照すると、第２コンタクト４は、展開板（図示せず）が成形された導電性を有する金属板４ｐからなっている。展開板を打ち抜き加工又は折り曲げ加工して、導電性を有する片持ち状のベローズコンタクトを得ることができる。第２コンタクト４は、加工の容易性や、ばね特性、導電性などを考慮すれば、銅合金が好ましく用いられるが、銅合金に限定される訳ではない。
【００７２】
図４を参照して、金属板４ｐの中央部をモールドして、ハウジング１を成形できる。そして、図１０に示すように、第２コンタクト４は、第１信号コンタクト４ｓと電源コンタクト４ｅとグラウンドコンタクト４ｇを個別に分離している。
【００７３】
図２又は図３を参照すると、第１信号コンタクト４ｓは、その固定端部がハウジング１に固定されている。又、第１信号コンタクト４ｓは、その自由端部が凹部１１の底面から傾斜して延出している。そして、第１信号コンタクト４ｓの自由端部の頂き部が信号端子２ｓｔに接触できる接点４ｃを形成している（図５参照）。
【００７４】
同様に、図２又は図３を参照すると、電源コンタクト４ｅ及びグラウンドコンタクト４ｇは、その固定端部がハウジング１に固定されている。一方、電源コンタクト４ｅ及びグラウンドコンタクト４ｇは、その自由端部が凹部１１の底面から傾斜して延出している。そして、電源コンタクト４ｅ及びグラウンドコンタクト４ｇの自由端部の頂き部が電源端子２ｅｔ又はグラウンド端子２ｇｔに接触できる接点４１ｃを形成している（図５参照）。
【００７５】
（カード用コネクタの作用）
次に、第１実施形態によるコネクタ１０の動作を説明しながら、コネクタ１０の作用及び効果を説明する。
【００７６】
図６は、第１実施形態によるカード用コネクタの構成を示す図であり、図６の左欄は、第１実施形態によるカード用コネクタの平面図を示し、図６の右欄は、第１実施形態によるカード用コネクタを拡大した縦断面図を示し、図６（Ａ）は、第１カード又は第２カードをカード用コネクタに挿入する前の状態図、図６（Ｂ）は、第２カードをカード用コネクタに挿入した状態図、図６（Ｃ）は、第１カードをカード用コネクタに挿入した状態図である。
【００７７】
図６（Ａ）を参照すると、第１カードＣ１又は第２カードＣ２をコネクタ１０に挿入する前の状態では、第１コンタクト３の接点３ｃは、カバー板２に対向配置されている。又、第１信号コンタクト４ｓの接点４ｃは、カバー板２に対向配置されている。
【００７８】
図６（Ａ）に示した状態から、第２カードＣ２をハウジング１の凹部１１に挿入すると、第２カードＣ２を後壁１ｃに向かって進行できる。図６（Ｂ）を参照して、第２カードＣ２をハウジング１の凹部１１に挿入した状態では、第１コンタクト３の接点３ｃは、第１接続端子１ｃｔに接触している（図１２参照）。又、第２カードＣ２をハウジング１の凹部１１に挿入した状態では、第１信号コンタクト４ｓの接点４ｃは、第１接続端子１ｃｔに接触している（図１２参照）。
【００７９】
図６（Ａ）に示した状態から、第１カードＣ１をハウジング１の凹部１１に挿入すると、第１カードＣ１を後壁１ｃに向かって進行できる。図６（Ｃ）を参照して、第１カードＣ１を後壁１ｃに向かって進行する過程では、第１溝部Ｄ１の段差が凸片４ｔを含む第１信号コンタクト４ｓの広い面に当接できる。
【００８０】
図６（Ｃ）を参照して、第１カードＣ１を後壁１ｃに向かって更に進行すると、第１溝部Ｄ１の段差が第２コンタクト４を押して、第１信号コンタクト４ｓを含む第２コンタクト４を傾倒できる。そして、第１信号コンタクト４ｓが傾倒した状態では、第１信号コンタクト４ｓの接点４ｃは、第１溝部Ｄ１の底面に当接しないように、構成している。これにより、第１信号コンタクト４ｓの接点４ｃを保護できる。又、第１カードＣ１をハウジング１の凹部１１に挿入した状態では、第１コンタクト３の接点３ｃは、第１接続端子１ｃｔに接触している（図１０参照）。
【００８１】
このように、第１実施形態によるコネクタ１０は、第１カードＣ１を凹部１１に挿入した状態では、凸片４ｔを含む第２コンタクト４の広い面が第１溝部Ｄ１の段差に当接できる。これにより、第１カードＣ１の削りカスの発生を抑制できる。又、第１実施形態によるコネクタ１０は、第１カードＣ１を凹部１１に挿入した状態では、第１信号コンタクト４ｓの接点４ｃは、第１溝部Ｄ１の底面に当接しないように、構成しているので、第１信号コンタクト４ｓの接点４ｃを保護できる。
【００８２】
［第２実施形態］
（カード用コネクタの構成）
次に、本発明の第２実施形態によるカード用コネクタの構成を説明する。
【００８３】
図７は、本発明の第２実施形態によるカード用コネクタの構成を示す斜視図であり、カバー板を取り外した状態図である。図８は、図７の要部を拡大した斜視図である。なお、第１実施形態で用いた符号と同じ符号を有する構成品は、その作用を同じにするので説明を省略することがある。
【００８４】
（全体構成）
次に、本発明の第２実施形態によるカード用コネクタの全体構成を説明する。図７又は図８を参照すると、本発明の第２実施形態によるカード用コネクタ（以下、コネクタと略称する）２０は、板状のハウジング１とカバー板２を備えている。又、コネクタ２０は、複数の第１コンタクト３と複数の第２コンタクト４を備えている。
【００８５】
図７又は図８を参照すると、ハウジング１は、第１カードＣ１又は第２カードＣ２を挿入自在な凹部１１を形成している。凹部１１は、一対の側壁１ａ・１ｂと後壁１ｃで囲われている。図１又は図２を参照すると、カバー板２は、凹部１１を覆っている。カバー板２で覆われた凹部１１を第１カードＣ１又は第２カードＣ２の収容空間とすることができる。
【００８６】
図７又は図８を参照すると、第１コンタクト３は、凹部１１の奥側に配置している。第１コンタクト３は、第１カードＣ１の第１接続端子１ｃｔに接触できる（図１０参照）。又、第１コンタクト３は、第２カードＣ２の第１接続端子１ｃｔに接触できる（図１２参照）。
【００８７】
図７又は図８を参照すると、第２コンタクト４は、凹部１１の開口側に配置している。第２コンタクト４は、第２カードＣ２の第２接続端子２ｃｔに接触できる（図１２参照）。
【００８８】
図７又は図８を参照すると、第２コンタクト４は、二組の対を成す第２信号コンタクト５ｓ・５ｓと電源コンタクト４ｅと三つのグラウンドコンタクト４ｇを含んでいる。
【００８９】
図７又は図８を参照すると、対を成す第２信号コンタクト５ｓ・５ｓは、対を成す信号端子２ｓｔ・２ｓｔに電気的に接続できる（図１２参照）。グラウンドコンタクト４ｇは、グラウンド端子２ｇｔに電気的に接続できる（図１２参照）。
【００９０】
図８を参照すると、第２信号コンタクト５ｓは、接点５ｃを先端部側に有している。接点５ｃは、第２コンタクト４の先端部側に配置した曲率半径の大きい湾曲部の頂き部に形成している。接点５ｃは、第１カードＣ１を凹部１１に挿入した状態では、第１カードＣ１の裏面Ｂｆに当接しない。一方、接点５ｃは、第２カードＣ２を凹部１１に挿入した状態では、第２接続端子２ｃｔに接触できる。
【００９１】
又、図８を参照すると、第２信号コンタクト５ｓは、矩形の凸片５ｔを先端部側に有している。凸片５ｔは、第２信号コンタクト５ｓが延びる方向と略直交する方向に板厚面から突出している。又、凸片５ｔは、第２信号コンタクト５ｓの先端部側の両側辺から突出している。第２コンタクトは、その一部が凸片５ｔを先端部側に有している、ということもできる。実施の形態では、対を成す第２信号コンタクト５ｓは、相反する向きに一対の凸片５ｔ・５ｔを配置している。
【００９２】
なお、第１信号コンタクト４ｓと第２信号コンタクト５ｓは、実質的に同じものであるが、説明の便宜上符号を変えて区別した。第１信号コンタクト４ｓが先端部側の一方の側辺から凸片４ｔを突出しているのに対し、第２信号コンタクト５ｓは、先端部側の両側辺から一対の凸片５ｔ・５ｔを突出していると、いう違いがある。
【００９３】
又、接点４ｃと接点５ｃは、同じものであるが、説明の便宜上符号を変えて区別した。同様に、凸片４ｔと凸片５ｔは、実質的に同じものであるが、説明の便宜上符号を変えて区別した。
【００９４】
図７又は図８を参照して、第１カードＣ１を凹部１１に挿入した状態では、一対の凸片５ｔ・５ｔを含む第２コンタクト４の広い面が第１溝部Ｄ１の段差に当接できる。これにより、第１カードＣ１の削りカスの発生を抑制できる。
【００９５】
（カード用コネクタの作用）
次に、第２実施形態によるコネクタ２０の作用及び効果を説明する。
【００９６】
図６を類推すると、第２実施形態によるコネクタ２０は、第１カードＣ１を凹部１１に挿入した状態では、一対の凸片５ｔ・５ｔを含む第２コンタクト４の広い面が第１溝部Ｄ１の段差に当接できる。これにより、第１カードＣ１の削りカスの発生を抑制できる。又、第２実施形態によるコネクタ２００は、第１カードＣ１を凹部１１に挿入した状態では、第２信号コンタクト５ｓの接点５ｃは、第１溝部Ｄ１の底面に当接しないように、構成しているので、第２信号コンタクト５ｓの接点５ｃを保護できる。
【００９７】
本発明は、外形寸法及び厚さは同じであるが、接続端子の配列が一部異なる二種類のカードを共用できるカード用コネクタであって、一方のカードの削りカスの発生を抑制できるカード用コネクタを開示したが、本発明の技術的思想を応用すれば、カード以外にも金属箔からなる接続端子を表面に有するプリント基板又は電気コネクタにも適用できる。
【符号の説明】
【００９８】
１  ハウジング
１ｃｔ  第１接続端子
２ｃｔ  第２接続端子
３  第１コンタクト
４  第２コンタクト
４ｓ  第１信号コンタクト
４ｃ  接点
４ｔ  凸片
１０  コネクタ（カード用コネクタ）
１１  凹部
Ｂｆ  裏面
Ｃ１  第１カード
Ｃ２  第２カード
Ｄ１  第１溝部
Ｄ２  第２溝部
【図１】
2019075311.tif 000003
【図２】
2019075311.tif 000004
【図３】
2019075311.tif 000005
【図４】
2019075311.tif 000006
【図５】
2019075311.tif 000007
【図６】
2019075311.tif 000008
【図７】
2019075311.tif 000009
【図８】
2019075311.tif 000010
【図９】
2019075311.tif 000011
【図１０】
2019075311.tif 000012
【図１１】
2019075311.tif 000013
【図１２】
2019075311.tif 000014
【図１３】
2019075311.tif 000015
【図１４】
2019075311.tif 000016